(57)【要約】【課題】プロジェクターの投射画面調整を簡便に行うことが出来ることであるチルトフット機構を提供する。【解決手段】１個の操作ボタン２により同時に回転する第１及び第２の回転レバー１４，２４と、この回転によりそれぞれ往復運動をする第１及び第２のロックレバー１３，２３とを有し、第１及び第２のロックレバー１３，２３のロック面１７，２７による第１及び第２のチルトフット１０，２０のロック／リリーフの切り換えを同時に行う。【選択図】      図１
2004354494.tif 000002
【特許請求の範囲】
【請求項１】
プロジェクターのチルトフット機構であって、１個の操作ボタンによって２本のチルトフットのロック／リリース切り換えを同時に行うことを可能にすることを特徴とするチルトフット機構。
【請求項２】
操作ボタンおよびこの操作ボタンによりロック／リリース切り換えを行う２本のチルトフットを具備し、前記操作ボタンと前記チルトフットとの間に、回転レバーおよびロックレバーによる機構をそれぞれの前記チルトフットに対応して有し、前記操作ボタンによりそれぞれの前記回転レバーの回転動作および該回転動作によるそれぞれの前記ロックレバーのスライド動作を行うことを特徴とするチルトフット機構。
【請求項３】
バネ材を用いて前記ロックレバーを前記チルトフットに押圧してロック状態とし、前記操作ボタンを押すことにより前記押圧と反対方向の力を及ぼし、これにより前記ロックレバーを前記チルトフットから離間してリリース状態にすることを特徴とする請求項２記載のチルトフット機構。
【請求項４】
それぞれの前記回転レバーは、一定の箇所に位置している回転中心軸を中心にして回転してその角度を変化させることを特徴とする請求項２記載のチルトフット機構。
【請求項５】
それぞれの前記回転レバーは、第１の突出部、第２の突出部および該第１の突出部と第２の突出部とを接続する連結部を有し、前記連結部に前記回転中心軸が貫通し、前記第１の突出部が前記ロックレバーの凹部に入り込み、前記第２の突出部が前記操作ボタンの凹部に入り込んでいることを特徴とする請求項４記載のチルトフット機構。
【請求項６】
それぞれの前記回転レバーは、その第１の箇所と前記ロックレバーの箇所とが回転中心軸により連結され、その第２の箇所と前記操作ボタンとが他の回転中心軸により連結され、これにより前記回転レバーが前記ロックレバーおよび前記操作ボタンに対して回転可能であることを特徴とする請求項２記載のチルトフット機構。
【請求項７】
前記バネ材は一端が固定されたスプリングであり、それぞれの前記ロックレバーがそれぞれの前記スプリングの他端により加圧され、これにより前記押圧がなされていることを特徴とする請求項３記載のチルトフット機構。
【請求項８】
前記バネ材は一端が固定されたスプリングであり、前記操作ボタンが前記スプリングの他端により加圧され、これにより前記押圧がなされていることを特徴とする請求項３記載のチルトフット機構。
【請求項９】
前記回転レバーは樹脂もしくは金属製ダイキャストから構成されていることを特徴とする請求項２記載のチルトフット機構。
【請求項１０】
前記回転レバーは線材から構成されていることを特徴とする請求項２記載のチルトフット機構。
【請求項１１】
それぞれのチルトフットのシャフトにはネジによる凹凸が形成されていることを特徴とする請求項２記載のチルトフット機構。
【請求項１２】
前記ロックレバーのロック面は、前記シャフトの凹凸にかみ合うことができる凹凸が形成されていることを特徴する請求項１１記載のチルトフット機構。
【請求項１３】
前記チルトフットにロックする前記ロックレバーのロック面は、弾性材料により構成されていることを特徴する請求項２記載のチルトフット機構。
【請求項１４】
前記弾性材料はゴムであることを特徴する請求項１３記載のチルトフット機構。
【請求項１５】
請求項１乃至請求項１４のいずれかに記載のチルトフット機構を具備したことを特徴とするプロジェクター。
【発明の詳細な説明】
【０００１】
【発明の属する技術分野】
本発明はチルトフット機構およびプロジェクターに係わり、特にプロジェクターのチルトフット機構のロック／リリースの構造に関する。
【０００２】
【従来の技術】
プロジェクターは映像をスクリーン等に映像を投影する機器である。そして、投射装置のプロジェクターとスクリーン等の投影面とが独立しているので、希望する投射画面を得るためには適切な設置距離、設置角度、設置位置にする必要がある。
【０００３】
したがってプロジェクター自体の角度を調整するために、プロジェクターの筐体の底面に複数の脚（チルトフット、レアフット）を設け、底面から突出する脚の長さを調整する。
【０００４】
この脚の配置には、底面の前方側に１本のチルトフットを設け後方側に２本のリアフットを設けて、主の高さ調整は前方側の１本のチルトフットで行い、投影画面の傾きの調整等の微調整を後方側の２本のリアフットで行うフロント１チルトフット／２リアフット型、底面の前方側に２本のチルトフットを設け後方側に１本のリアフットを設け、主の高さ調整および傾き調整を前方側の可動脚である２本のチルトフットで行い、後方側の１本のリアフットを固定脚としたフロント２チルトフット／１リアフット型、底面の前方側に２本のチルトフットを設け後方側に２本のリアフットを設けるフロント２チルトフット／２リアフット型があり、プロジェクターは上記した３つの配置うちのいずれかを採用している。そしてこれ以上の投射画面角度調整用のチルトフット／リアフットの追加は、事実上無意味である。
【０００５】
上記した脚の配置において、フロント側（筐体の底面の前方側）に１本のチルトフットを備えたものは、投射画面の打ち上げ角度調整（投影画面の高さ調整）は容易であるが、投射画面の傾き調整は、後方側のリアフットで行わなければならず、それぞれが独立して調整を行うため、投射画面の画面の全体の調整は、任意の位置に合せる事が難しい。これは、両方の調整を１度で行う事が出来ず、それぞれの調整が、前に行った調整に影響されるからである。
【０００６】
一方、フロント側に２本のチルトフットを備えたものは、投影画面の高さ調整の打ち上げ角度調整と投影画面の傾き調整とを１度で行えるので、投影画面を任意の位置に合せる事が、フロント１チルトフットに比べれば、容易である。
【０００７】
図７は従来技術の１本のチルトフットおよびそのロック／リリースを示す図である。チルトフット７０は筐体の底面を出入りするシャフト７１と机の上面等の載置面に当接するフット部７２とを有している。
【０００８】
図７（Ａ）は、筐体の底面から所定の長さに突出したシャフトがロック（固定）された状態を示す。同図において、筐体７３に一端を固定し圧縮状態でセットされたスプリング７４による押圧Ｆ１を往復運動を行うロックレバー７５に加え、これによりロックレバーのロック面７７、すなわちロックレバーの開口７６の側面をシャフト７１に押し付けてロックされている。そしてこの状態でプロジェクターの画面投射が行われる。
【０００９】
次ぎに、チルトフットの筐体の底面から突出する長さを変更する場合、図７（Ｂ）に示すように、ロックを解除したリリース状態にする。このリリース状態にするには、操作ボタン（図示省略）を指で押すことによる、Ｆ１とは反対方向の力Ｆ２がロックレバー７５に加わってロック面７７をシャフト７１から離してロックを解除する。この状態でチルトフットの高さ調整移動７８を行って、所定の高さになったときに指を操作ボタンから離すことにより図７（Ａ）のロック状態になる。
【００１０】
このように図７の従来技術のロック／リリース機構のレバーは往復運動のロックレバーを用いるだけである。
【００１１】
図８は他の従来技術の１本のチルトフットおよびそのロック／リリースを示す図である。チルトフット８０は筐体の底面を出入りするシャフト８１と机の上面等の載置面に当接するフット部８２とを有している。
【００１２】
図８（Ａ）は、筐体の底面から所定の長さに突出したシャフトが、筐体８３に一端を固定し圧縮状態でセットされたスプリング８４の反力Ｆ１によりロック（固定）された状態を示す。同図において、回転中心軸８８の周りを回転するロックレバー８５が水平の際にロックレバーのロック部８７、すなわちロックレバーの開口８６の側面の突出部をシャフト８１に押し付けてロックされている。そしてこの状態でプロジェクターの画面投射が行われる。
【００１３】
次ぎに、チルトフットの筐体の底面から突出する長さを変更する場合、図８（Ｂ）に示すように、ロックを解除したリリース状態にする。このリリース状態にするには、操作ボタン（図示省略）を指で押すことによる力Ｆ２がロックレバー８５に加わって回転し、ロック部８７をシャフト８１から離してロックを解除する。この状態でチルトフットの高さ調整移動８９を行って、所定の高さになったときに指を操作ボタンから離すことにより、一端が筐体８３固定されているスプリング８４の復元力により水平状態になり、かつ、反力Ｆ１により図８（Ａ）のロック状態になる。
【００１４】
このように図８の従来技術のロック／リリース機構のレバーは回転運動のロックレバーを用いるだけである。
【００１５】
【特許文献１】
特開平９−２８７６９５号公報
【００１６】
【発明が解決しようとする課題】
上記した図７および図８のいずれの従来技術における構造においても、１本のチルトフットおよびそれに結合するロック／リリース機構に対してそれぞれ１個の操作ボタンを用いることを前提として構成されている。
【００１７】
したがって従来技術を用いてロックを解除したリリース状態として２本のチルトフットの筐体の底面から突出する長さをそれぞれ調整する場合、２個の操作ボタンを操作する必要があり、非常に作業性が悪いものであった。
【００１８】
したがって本発明の目的は上記した従来技術の問題点を解決したチルトフット機構を提供することである。
【００１９】
本発明の他の目的は、上記した従来技術の問題点を解決したプロジェクターを提供することである。
【００２０】
【課題を解決するための手段】
本発明の特徴は、プロジェクターのチルトフット機構であって、１個の操作ボタンによって２本のチルトフットのロック／リリース切り換えを同時に行うことを可能にするチルトフット機構にある。そしてこの１個の操作ボタンにより２本のチルトフットのリリース状態を維持する。
【００２１】
あるいは本発明の特徴は、プロジェクターのチルトフット機構であって、操作ボタンおよびこの操作ボタンによりロック／リリース切り換えを行う２本のチルトフットを具備し、前記操作ボタンと前記チルトフットとの間に、回転レバーおよびロックレバーによる機構をそれぞれの前記チルトフットに対応して有し、前記操作ボタンによりそれぞれの前記回転レバーの回転動作および該回転動作によるそれぞれの前記ロックレバーのスライド動作を行うチルトフット機構にある。
【００２２】
この場合、バネ材を用いて前記ロックレバーを前記チルトフットに押圧することによりロック状態とし、前記操作ボタンを押すことにより前記押圧と反対方向の力を及ぼし、これにより前記ロックレバーを前記チルトフットから離間してリリース状態にすることが好ましい。
【００２３】
さらに、それぞれの前記回転レバーは、一定の箇所に位置している回転中心軸を中心にして回転してその角度を変化させることができる。この場合、それぞれの前記回転レバーは、第１の突出部、第２の突出部および該第１の突出部と第２の突出部とを接続する連結部を有し、前記連結部に前記回転中心軸が貫通し、前記第１の突出部が前記ロックレバーの凹部に入り込み、前記第２の突出部が前記操作ボタンの凹部に入り込んでいることが好ましい。
【００２４】
あるいは、それぞれの前記回転レバーは、その第１の箇所と前記ロックレバーの箇所とが回転中心軸により連結され、その第２の箇所と前記操作ボタンとが他の回転中心軸により連結され、これにより前記回転レバーが前記ロックレバーおよび前記操作ボタンに対して回転可能であることができる。
【００２５】
さらに、前記バネ材は一端が固定されたスプリングであり、それぞれの前記ロックレバーがそれぞれの前記スプリングの他端により加圧され、これにより前記押圧がなされていることができる。
【００２６】
或いは、前記バネ材は一端が固定されたスプリングであり、前記操作ボタンが前記スプリングの他端により加圧され、これにより前記押圧がなされていることができる。
【００２７】
さらに、前記回転レバーは樹脂や金属製ダイキャスト等の材料から構成されていることができる。あるいは、前記回転レバーは柔軟材である線材（ワイヤー）で構成することもできる。
【００２８】
また、それぞれのチルトフットのシャフトにはネジによる凹凸が形成されていることが好ましい。この場合、前記ロックレバーのロック面は、前記シャフトの凹凸にかみ合うことができる凹凸が形成されていることが好ましい。
【００２９】
あるいは、前記チルトフットにロックする前記ロックレバーのロック面は、摩擦抵抗が大きいゴム等の弾性材料により構成されていることができる。
【００３０】
本発明の他の特徴は、上記したいずれかに記載のチルトフット機構を具備したプロジェクターにある。
【００３１】
【発明の実施の形態】
以下、図面の用いて本発明を説明する。図１は、本発明の第１の実施の形態を示す図である。また、図２はチルトフットにより投射画面の位置を調整する様子を示す図であり、（Ａ）は高さを調整した場合、（Ｂ）は傾きを調整した場合である。
【００３２】
先ず図２を参照して、机やテーブルの上面等の載置面３００上にプロジェクター１００が載置され、スクリーン等の投影面に投射画面２００を投射する。プロジェクター１００の筐体１の底面の前方側に高さ可動脚である第１のチルトフット１０および高さ可動脚である第２のチルトフット２０が設けられ、後方側に１個もしくは２個の固定脚であるレアフット４０が設けられている。
【００３３】
プロジェクターは、映像を投影するので設置位置により画面位置を調整する必要がある。この画面位置の調整は、上下の画面位置調整、左右の画面位置調整、左右傾き角度の画面位置調整の３種類がある。
【００３４】
このうち、上下の画面位置の調整を示したのが図２（Ａ）であり、第１のチルトフット１０および第２のチルトフット２０の筐体の底面から突出した長さを短くすることにより画面２００Ａにし、両チルトフットの長さを長くすることにより画面２００Ｂにする。
【００３５】
左右傾き角度の画面位置調整を示したのが図２（Ｂ）であり、第１のチルトフット１０および第２のチルトフット２０の筐体の底面から突出した長さを同じにすることにより画面２００Ｃにし、第１のチルトフット１０の筐体の底面から突出した長さを第２のチルトフット２０の筐体の底面から突出した長さよりも長くすることにより画面２００Ｄにする。
【００３６】
次ぎに図１を用いて本発明の第１の実施の形態を説明する。金属もしくは樹脂により構成された第１のチルトフット１０は、筐体の底面を出入りするシャフト１１と机等の載置面に当接するフット部１２とを有している。同様に、金属もしくは樹脂により構成された第２のチルトフット２０は、筐体の底面を出入りするシャフト２１と机等の載置面に当接するフット部２２とを有している。
【００３７】
図１（Ａ）は、プロジェクター１００の筐体１の底面から所定の長さに突出したシャフト１１，２１ロック（固定）された状態を示す。
【００３８】
同図において、例えば筐体１に一端を固定し圧縮状態にセットされたバネ材の金属製第１のスプリング１６の他端からの反力である押圧Ｆ１を水平方向に往復運動を行う第１のロックレバー１３に加え、これにより第１のロックレバーのロック面１７が第１のチルトフット１０のシャフト１１に押し付けてロックされている。また、この第１のロックレバーは例えば、樹脂や金属製ダイキャストにより構成されている。
【００３９】
また、例えば筐体にその位置を固定された第１の回転中心軸１５の周りを回転可能に、例えば、樹脂や金属製ダイキャストにより構成された第１の回転レバー１４が設けられている。
【００４０】
同様に、例えば筐体１に一端を固定し圧縮状態にセットされたバネ材の金属製第２のスプリング２６の他端からの反力である押圧Ｆ１を水平方向に往復運動を行う第２のロックレバー２３に加え、これにより第２のロックレバーのロック面２７が第２のチルトフット２０のシャフト２１に押し付けてロックされている。この第２のロックレバーも例えば、樹脂や金属製ダイキャストにより構成されている。
【００４１】
また、例えば筐体にその位置を固定された第２の回転中心軸２５の周りを回転可能に、例えば、樹脂や金属製ダイキャストにより構成され、第１の回転レバー１４と同じ形状でこれと軸対称に配置された第２の回転レバー２４が設けられている。
【００４２】
さらに、第１の回転レバー１４と第２の回転レバー２４との間には、例えば、樹脂や金属製ダイキャストにより構成され共通の操作ボタン２が設けられている。この実施の形態では、操作ボタン２に凹部が形成されている。
【００４３】
そして、図１に示すように、第１の回転レバー１４は、その第１の突出部が第１のロックレバー１３の凹部に入り込み、その第２の突出部が操作ボタン２の凹部に図で右側から入り込み、第１の突出部と第２の突出部とを接続する連結部を第１の回転中心軸１５が貫通している。
【００４４】
同様に、第２の回転レバー２４は、その第１の突出部が第２のロックレバー２３の凹部に入り込み、その第２の突出部が操作ボタン２の凹部に図で左側から入り込み、第１の突出部と第２の突出部とを接続する連結部を第２の回転中心軸２５が貫通している。
【００４５】
このロック状態では、共通の操作ボタン２の表面は筐体１からＬ１だけ内部に入り込んでいる。
【００４６】
また、図１に示すように、それぞれのシャフト１１，２１には例えばネジによる凹凸シャフト面となっており、ここに押圧するロック面１７，２７も同じ形状の凹凸による凹凸ロック面となっているから、確実にロック（固定）が可能になる。あるいは、ロック面１７，２７は摩擦抵抗が大きいゴム等の弾性材料で構成することもできる。
【００４７】
この図１（Ａ）の状態でプロジェクターの画面投射が行われる。
【００４８】
次ぎに、チルトフットの筐体の底面から突出する長さを変更して投影画面を調整する場合、図１（Ｂ）に示すように、ロックを解除したリリース状態にする。このリリース状態にするには、押圧Ｆ１に打ち勝ってさらにスプリング１６，２６が縮むように操作ボタン２を指で力Ｆ２により深さＬ２まで押すことにより行われる。
【００４９】
操作ボタン２を押すことにより、操作ボタンの凹部に入り込んでいる第１の回転レバー１４の突出部が持ち上がり、第１の回転レバー１４が第１の回転中心軸１５の周りを回転し、第１のロックレバー１８に入り込んでいる突出部により第１のロックレバー１３の水平方向のスライド運動により図で左方向に移動１３させ、そのロック面１７をシャフト１１から離間させてリリース状態にする。これと同時に、操作ボタンの凹部に入り込んでいる第２の回転レバー２４の突出部が持ち上がり、第２の回転レバー２４が第２の回転中心軸２５の周りを回転し、第２のロックレバー２３に入り込んでいる突出部により第２のロックレバー２３の水平方向のスライド運動により図で右方向に移動２８させ、そのロック面２７をシャフト２１から離間させてリリース状態にする。
【００５０】
この状態で第１のチルトフットの高さ調整移動５１および第２のチルトフットの高さ調整移動６１をそれぞれ行って、それぞれが所定の高さになったときに指を操作ボタン２から離すことにより図１（Ａ）のロック状態になる。
【００５１】
この高さの調整において、シャフト１１，２１のネジ（雄ネジ）にネジ結合をする雌ネジを筐体もしくはそれに固定された部材に形成しておけば、チルトフット（シャフト）を回転させることでネジのピッチによる微調整を行うことができる。
【００５２】
このように本発明によれば、往復運動のロックレバーと回転運動の回転レバーとの両者をそれぞれのチルトフットに対して具備し、１個の操作ボタンの操作により第１および第２のチルトフット１０，２０を同時にロックを解除したリリース状態にすることができ、また、この１個の操作ボタンの操作により第１および第２のチルトフット１０，２０を同時にロック状態に戻すことができる。
【００５３】
図３は、この実施の形態において筐体に対する操作ボタンの深さを変化させた様子を示す図である。
【００５４】
同図から明らかなように、第１および第２の回転レバー１４，２４を図で垂直方向の長さが異なる第１および第２の回転レバー１４Ａ，２４Ａにするだけで筐体からの所望する深さに操作ボタンを位置させることができる。
【００５５】
図４は、この実施の形態において、チルトフット間の操作ボタンの位置を変化させた様子を示す図である。
【００５６】
同図から明らかなように、第１のロックレバー１３を長い第１のロックレバー１３Ｂにし、これに会わせて第２のロックレバーを短い第２のロックレバーにするだけで、あるいは逆に、第１のロックレバーを短い第１のロックレバーにし、これに会わせて第２のロックレバーを長い第２のロックレバーにするだけで、操作ボタン２をチルトフット間の所望する箇所に位置させることができる。
【００５７】
次ぎに図５を参照して本発明の第２の実施の形態を説明する。図５において図１と同一もしくは類似の機能の箇所は同じ符号を付してあるから重複する説明を省略する。この第２の実施の形態は、第１の実施の形態と比較して回転中心軸が２個増加するが、回転レバーの形状がシンプルになる利点がある。
【００５８】
図５においては、第１および第２の回転レバー１４，２４は、例えば樹脂や金属製ダイキャストあるいはこれらの板材から長方形状に構成されている。
【００５９】
第１の回転レバー１４の図で右側の箇所と第１のロックレバー１３とが第３の回転中心軸１９Ａにより連結され、第１の回転レバー１４の図で左側の箇所と操作ボタン２とが第４の回転中心軸１９Ｂにより連結されている。
【００６０】
同様に、第１の回転レバー１４と同じ形状の第２の回転レバー２４は、図で左側の箇所と第２のロックレバー２３とが第５の回転中心軸２９Ａにより連結され、第２の回転レバー２４の図で右側の箇所と操作ボタン２とが第６の回転中心軸２９Ｂにより連結されている。
【００６１】
これらの部材間の連結に用いる第３乃至第６の回転中心軸は動作中その位置が移動される。
【００６２】
これにより、それぞれの回転レバーがそれぞれのロックレバーおよび操作ボタンに対して回転可能となり、図１と同様な動作が可能となる。
【００６３】
さらに、この実施の形態では、それぞれの回転レバーを柔軟性がある線材（ワイヤー）から構成することもできる。この場合は線材をそれぞれの回転中心軸に巻き付けるか、あるいはこれらの回転中心軸を省略して何らかの手段によりロックレバーおよび操作ボタンに固定させればよい。このように回転レバーを線材で構成すれば軽量化を図ることができる。
【００６４】
次ぎに図６を参照して本発明の第３の実施の形態を説明する。図６において図１および図５と同一もしくは類似の機能の箇所は同じ符号を付してあるから重複する説明を省略する。
【００６５】
図６において、第１および第２の回転レバー１４，２４を樹脂もしくは金属製ダイキャストあるいはこれらの板材で長方形状に構成し、部材間の連結に第３乃至第６の回転中心軸１９Ａ，１９Ｂ，２９Ａ，２９Ｂを用いている点は図５と同じである。
【００６６】
しかし図６では、バネ材の第１および第２のスプリング１６，２６を省略して、代わりに操作ボタン２の背面にバネ材の第３のスプリング３６を設ける。
【００６７】
ロック状態は図６（Ａ）に示すように、例えば筐体１に一端を固定し圧縮状態にセットされたバネ材の金属製第３のスプリング３６の他端からの反力である押圧Ｆ１を操作ボタン２の背面に加え、これにより第１の回転レバー１４、第１のロックレバー１３を通してロック面１７を第１のチルトフット１０のシャフト１１に押し付けてロックされ、第２の回転レバー２４、第２のロックレバー２３を通してロック面２７が第２のチルトフット２０のシャフト２１に押し付けてロックされている。
【００６８】
ロックを解除したリリース状態にする際は、図６（Ｂ）に示すように、押圧Ｆ１に打ち勝ってさらに第３のスプリング３６がさらに縮むように、操作ボタン２を指で力Ｆ２により深さＬ２まで押すことにより行われる。
【００６９】
このようにこの第３の実施の形態は、第１および第２の実施の形態と比較してスプリングが１個削減することができるという利点がある。
【００７０】
【発明の効果】
以上説明したように本発明の第１の効果は、１個の操作ボタンの操作により２本のチルトフットのロック／リリースの切り換えを同時に行うから、プロジェクターの投射画面調整を簡便に行うことが出来ることである。
【００７１】
本発明の第２の効果は、本発明の具体的な機構を用いることにより、操作ボタンを所望する箇所に自由に位置させることが出来ることである。
【図面の簡単な説明】
【図１】本発明の第１の実施の形態を示す図である。
【図２】チルトフットにより投射画面の位置を調整する様子を示す図であり、（Ａ）は高さを調整した場合、（Ｂ）は傾きを調整した場合である。
【図３】本発明の実施の形態において、筐体に対する操作ボタンの深さを変化させた様子を示す図である。
【図４】本発明の実施の形態において、チルトフット間の操作ボタンの位置を変化させた様子を示す図である。
【図５】本発明の第２の実施の形態を示す図である。
【図６】本発明の第３の実施の形態を示す図である。
【図７】従来技術を示す図である。
【図８】他の従来技術を示す図である。
【符号の説明】
１    筐体
２    操作ボタン
１０    第１のチルトフット
１１    シャフト
１２    フット部
１３，１３Ｂ    第１のロックレバー
１４，１４Ａ    第１の回転レバー
１５    第１の回転中心軸
１６    第１のスプリング
１７    第１のロックレバーのロック面
１８    第１のロックレバーの移動
１９Ａ    第３の回転中心軸
１９Ｂ    第４の回転中心軸
２０    第２のチルトフット
２１    シャフト
２２    フット部
２３    第２のロックレバー
２４，２４Ａ    第２の回転レバー
２５    第２の回転中心軸
２６    第２のスプリング
２７    第２のロックレバーのロック面
２８    第２のロックレバーの移動
２９Ａ    第５の回転中心軸
２９Ｂ    第６の回転中心軸
３６    第３のスプリング
４０    レアフット
５１    第１のチルトフットの高さ調整移動
６１    第２のチルトフットの高さ調整移動
７０    チルトフット
７１    シャフト
７２    フット部
７３    筐体
７４    スプリング
７５    ロックレバー
７６    ロックレバーの開口
７７    ロックレバーのロック面
７８    チルトフットの高さ調整移動
８０    チルトフット
８１    シャフト
８２    フット部
８３    筐体
８４    スプリング
８５    ロックレバー
８６    ロックレバーの開口
８７    ロックレバーのロック部
８８    回転中心軸
８９    チルトフットの高さ調整移動
１００    プロジェクター
２００    投射画面
３００    載置面
【図１】
2004354494.tif 000003
【図２】
2004354494.tif 000004
【図３】
2004354494.tif 000005
【図４】
2004354494.tif 000006
【図５】
2004354494.tif 000007
【図６】
2004354494.tif 000008
【図７】
2004354494.tif 000009
【図８】
2004354494.tif 000010